(57)【要約】【解決手段】  パッキン７を挟圧する部材６、１４に突出部２３を形成し、当該突出部２３をパッキン７に食い込ませる。挟圧する部材６、１４の突出部２４をパッキン７に形成された凹部２５に嵌合する。挟圧部２０より厚みの大きい抜け止め部２１を形成する。又はパッキン１１を部材１２に十分長く接触させる。【効果】  パッキン７、１１の張り出し部１８、２８に外力が加わった場合にも、そのパッキン７、１１がそれを挟圧する部材６、１４、１２、１３の間から抜けたり、挟圧がずれたりすることがなく、適切なシール機能を果たすことができる。【選択図】          図１
2005058385.tif 000002
【特許請求の範囲】
【請求項１】
外装体（２）内に内鍋（３）を収容し、当該内鍋（３）を加熱手段（４）で加熱するようになし、内鍋（３）の上部開口部を蓋（５）で気密に覆ってなる圧力炊飯ジャー（１）におけるパッキン構造であって、弾性体製パッキン（７、１１）が二つの部材（６、１４、１２、１３）間に挟圧されて固定され、当該パッキン（７、１１）の一部が前記部材（６、１４、１２、１３）の間から張り出し、当該張り出し部（１８、２８）が他の部材（３、１０）に対して圧接されて気密にシールする構造において、前記パッキン（７、１１）を挟圧する部材（６、１４、１２、１３）のうちの少なくとも一方に突出部（２３）を形成し、当該突出部（２３）をパッキン（７、１１）に食い込ませることによりパッキン（７、１１）の抜けを防止したことを特徴とする、圧力炊飯ジャーにおけるパッキン構造
【請求項２】
外装体（２）内に内鍋（３）を収容し、当該内鍋（３）を加熱手段（４）で加熱するようになし、内鍋（３）の上部開口部を蓋（５）で気密に覆ってなる圧力炊飯ジャー（１）におけるパッキン構造であって、弾性体製パッキン（７、１１）が二つの部材（６、１４、１２、１３）間に挟圧されて固定され、当該パッキン（７、１１）の一部が前記部材（６、１４、１２、１３）の間から張り出し、当該張り出し部（１８、２８）が他の部材（３、１０）に対して圧接されて気密にシールする構造において、前記パッキン（７、１１）を挟圧する部材（６、１４、１２、１３）のうちの一方に突出部（２４）を形成し、当該突出部（２４）をパッキン（７、１１）に形成された凹部（２５）に嵌合することによりパッキン（７、１１）の抜けを防止したことを特徴とする、圧力炊飯ジャーにおけるパッキン構造
【請求項３】
外装体（２）内に内鍋（３）を収容し、当該内鍋（３）を加熱手段（４）で加熱するようになし、内鍋（３）の上部開口部を蓋（５）で気密に覆ってなる圧力炊飯ジャー（１）におけるパッキン構造であって、弾性体製パッキン（７、１１）が二つの部材（６、１４、１２、１３）間に挟圧されて固定され、当該パッキン（７、１１）の一部が前記部材（６、１４、１２、１３）の間から張り出し、当該張り出し部（１８、２８）が他の部材（３、１０）に対して圧接されて気密にシールする構造において、前記パッキン（７、１１）における前記張り出し部（１８、２８）から前記挟圧部（２０、２６）を隔てた反対側の厚みを、前記挟圧部（２０、２６）を挟圧する二つの部材（６、１４、１２、１３）の間隔より大きくすることによりパッキン（７、１１）の抜けを防止したことを特徴とする、圧力炊飯ジャーにおけるパッキン構造
【請求項４】
外装体（２）内に内鍋（３）を収容し、当該内鍋（３）を加熱手段（４）で加熱するようになし、内鍋（３）の上部開口部を蓋（５）で気密に覆ってなる圧力炊飯ジャー（１）におけるパッキン構造であって、弾性体製パッキン（７、１１）が二つの部材（６、１４、１２、１３）間に挟圧されて固定され、当該パッキン（７、１１）の一部が前記部材（６、１４、１２、１３）の間から張り出し、当該張り出し部（１８、２８）が他の部材（３、１０）に対して圧接されて気密にシールする構造において、前記パッキン（７、１１）における前記張り出し部（１８、２８）から前記挟圧部（２０、２６）を隔てた反対側を、前記挟圧部（２０、２６）を挟圧する二つの部材（６、１４、１２、１３）の一方に対して、十分に長い距離に亙って接触せしめることによりパッキン（７、１１）の抜けを防止したことを特徴とする、圧力炊飯ジャーにおけるパッキン構造
【発明の詳細な説明】
【技術分野】
【０００１】
本発明は圧力炊飯ジャーにおけるパッキン構造に関するものであって、当該パッキンに外力が加わったときにパッキンがその挟圧部から抜けて気密性を保持し得なくなることのない構造に関するものである。
【背景技術】
【０００２】
図１は圧力炊飯ジャー１を示すものであって、外装体２内に内鍋３が収容され、当該内鍋３を電磁加熱装置などの加熱手段４で加熱し、内鍋３に収容された米と水で炊飯するようになっている。
【０００３】
５は蓋であって、その下面に設けられた放熱板６が内鍋３の上部開口部を覆い、当該放熱板６の周縁から張り出して形成されたパッキン７で内鍋３内を気密に保持し、内鍋３内に圧力をかけつつ炊飯するようになっている。
【０００４】
また前記放熱板６には内鍋３内の圧力を調節する圧力弁８が設けられており、当該圧力弁８から排出された蒸気はチャンバー９で液体成分のおねばを分離し、キャップ１０から排出されるようになっている。そしてそのキャップ１０は蓋５に対してパッキン１１でシールされている。
【特許文献１】特開平１１−２６２４４５
【特許文献２】実用新案登録第２５５３８５４号
【発明の開示】
【発明が解決しようとする課題】
【０００５】
ところでこの種の圧力炊飯ジャー１において、前記放熱板６は蓋５に対して清掃のために取り外し可能であるが、その取り外しのために放熱板６から張り出したパッキン７を抓んで引っ張ることが多く、パッキン７が抜けたりずれたりする可能性がある。パッキン７がずれると内鍋３との密着性が低下し、内鍋３内の圧力が不十分となり、圧力炊飯ジャー１としての機能が損なわれる恐れがある。
【０００６】
またチャンバー９のパッキン１１は、底部材１２の内面に張り出してキャップ１０をシールするだけでなく、チャンバー９の底部材１２と上部材１３との間をシールする機能を有しており、チャンバー９内のおねばを清掃するためにキャップ１０の着脱を繰り返している間にパッキン１１がずれると、底部材１２と上部材１３との間から蒸気が蓋５内に侵入し、蓋５内の電装部の絶縁を阻害する恐れがある。
【０００７】
本発明はかかる事情に鑑みなされたものであって、このような圧力炊飯ジャー１におけるパッキン７，１１を確実に保持し、外力によりずれたり抜けたりすることのないパッキン構造を提供することを目的とするものである。
【課題を解決するための手段】
【０００８】
而して本願第一の発明は、外装体内に内鍋を収容し、当該内鍋を加熱手段で加熱するようになし、内鍋の上部開口部を蓋で気密に覆ってなる圧力炊飯ジャーにおけるパッキン構造であって、弾性体製パッキンが二つの部材間に挟圧されて固定され、当該パッキンの一部が前記部材の間から張り出し、当該張り出し部が他の部材に対して圧接されて気密にシールする構造において、前記パッキンを挟圧する部材のうちの少なくとも一方に突出部を形成し、当該突出部をパッキンに食い込ませることによりパッキンの抜けを防止したことを特徴とするものである。
【０００９】
また本願第二の発明は、外装体内に内鍋を収容し、当該内鍋を加熱手段で加熱するようになし、内鍋の上部開口部を蓋で気密に覆ってなる圧力炊飯ジャーにおけるパッキン構造であって、弾性体製パッキンが二つの部材間に挟圧されて固定され、当該パッキンの一部が前記部材の間から張り出し、当該張り出し部が他の部材に対して圧接されて気密にシールする構造において、前記パッキンを挟圧する部材のうちの一方に突出部を形成し、当該突出部をパッキンに形成された凹部に嵌合することによりパッキンの抜けを防止したことを特徴とするものである。
【００１０】
また本願第三の発明は、外装体内に内鍋を収容し、当該内鍋を加熱手段で加熱するようになし、内鍋の上部開口部を蓋で気密に覆ってなる圧力炊飯ジャーにおけるパッキン構造であって、弾性体製パッキンが二つの部材間に挟圧されて固定され、当該パッキンの一部が前記部材の間から張り出し、当該張り出し部が他の部材に対して圧接されて気密にシールする構造において、前記パッキンにおける前記張り出し部から前記挟圧部を隔てた反対側の厚みを、前記挟圧部を挟圧する二つの部材の間隔より大きくすることによりパッキンの抜けを防止したことを特徴とするものである。
【００１１】
さらに本願第四の発明は、外装体内に内鍋を収容し、当該内鍋を加熱手段で加熱するようになし、内鍋の上部開口部を蓋で気密に覆ってなる圧力炊飯ジャーにおけるパッキン構造であって、弾性体製パッキンが二つの部材間に挟圧されて固定され、当該パッキンの一部が前記部材の間から張り出し、当該張り出し部が他の部材に対して圧接されて気密にシールする構造において、前記パッキンにおける前記張り出し部から前記挟圧部を隔てた反対側を、前記挟圧部を挟圧する二つの部材の一方に対して、十分に長い距離に亙って接触せしめることによりパッキンの抜けを防止したことを特徴とするものである。
【００１２】
図２は放熱板６に対するパッキン７の取り付け構造を示すものであって、１４は放熱板６の外周に沿って設けられたリング体であり、放熱板６の外周に形成された垂下部１５がリング体１４の凹溝１６に嵌合されている。
【００１３】
またパッキン７は水平部１７が前記リング体１４の下面を覆っており、その水平部１７の外周下部に張り出し部１８が形成されており、当該張り出し部１８が前記内鍋３の上部開口部に圧接してシールするようになっている。また水平部１７の内周には上方に伸びる垂直部１９が形成されており、当該垂直部１９の上端から外方に放熱板６の下面に沿って挟圧部２０が伸び、当該挟圧部２０の外周から下方に抜け止め部２１が垂下している。そして前記挟圧部２０がリング体１４に形成された押圧部２２と放熱板６の下面との間に挟圧されて固定されている。
【００１４】
図３（ａ）及び（ｂ）は、本願第一の発明をパッキン７の放熱板６への取り付け構造に適用した構造を示すものであって、押圧部２２の先端における抜け止め部２１側の角部に突出部２３が形成されており、当該突出部２３をパッキン７の挟圧部２０と抜け止め部２１との角部内側に食い込ませることにより、抜けを防止している。
【００１５】
図３（ａ）の例においては、前記突出部２３はほゞ直角のエッジであり、また図３（ｂ）の例においては、前記突出部２３は押圧部２２から膨出した突条となっており、それぞれその突出部２３がパッキン７に食い込んでいる。
【００１６】
また図３（ｃ）は、本願第二の発明をパッキン７の放熱板６への取り付け構造に適用した構造を示すものであって、前記リング体１４の押圧部２２の側面に突出部２４が形成されており、当該突出部２４がパッキン７に形成された凹部２５に嵌合することにより、パッキンの抜けを防止している。
【００１７】
図３（ｄ）は、本願第三の発明をパッキン７の放熱板６への取り付け構造に適用した構造を示すものであって、前記パッキン７における抜け止め部２１の厚みｂが、前記挟圧部２０を挟圧する放熱板６の下面とリング体１４の押圧部２２の先端面との間隔ａより大きくなっており、これにより抜け止め部２１が放熱板６と押圧部２２との間を通ってパッキン７が抜けるのを防止している。
【００１８】
また図４（ａ）は、本願第四の発明をパッキン１１のチャンバー９への取り付け構造に適用した構造を示すものであって、パッキン１１は略逆Ｕ字状をなしており、上部の水平に延びる挟圧部２６が底部材１２の上端と上部材１３の下端との間に挟圧されている。挟圧部２６の内端にはシール部２７が垂下し、当該シール部２７に形成された張り出し部２８がキャップ１０に圧接してシールするようになっている。また挟圧部２６の外端には抜け止め部２９が垂下されている。
【００１９】
そしてこの発明においては、パッキン１１の抜け止め部２９が、前記挟圧部２６を挟圧する二つの部材の一方である底部材１２の側面に対して、十分に長い距離に亙って接触せしめられ、その摩擦によりパッキン１１の抜けを防止している。抜け止め部２９の底部材１２に対する接触距離ｃは、挟圧部２６を挟圧する底部材１２と上部材１３との間隔ｄよりも大きく、間隔ｄの２〜３倍とするのが好ましい。
【００２０】
また図４（ｂ）は、本願第三の発明をパッキン１１のチャンバー９への取り付け構造に適用した構造を示すものである。この発明においては、パッキン１１の抜け止め部２９の厚みｅが、前記挟圧部２６を挟圧する底部材１２と上部材１３との間隔ｄよりも大きくなっており、これにより抜け止め部２９が底部材１２と上部材１３との間を通ってパッキン１１が抜けるのを防止している。
【発明の効果】
【００２１】
本発明においては、パッキン７、１１の張り出し部１８、２８に外力が加わった場合にも、そのパッキン７、１１がそれを挟圧する部材６、１４、１２、１３の間から抜けたり挟圧がずれたりすることがなく適切なシール機能を果たすことができる。
【００２２】
第一の発明においては、パッキン７を放熱板６とリング体１４とに挟圧したときに、リング体１４に形成された突出部２３がパッキン７に食い込むことにより、パッキン７の移動を阻止し、抜けやずれを防止する。
【００２３】
第二の発明においては、リング体１４に形成された突出部２４がパッキン７に形成された凹部２５に嵌合しているので、当該突出部２４と凹部２５とによりパッキン７の移動を阻止し、抜けやずれが防止される。
【００２４】
また第三の発明においては、パッキン７、１１における挟圧部２０、２６に隣接して厚みの大きい抜け止め部２１、２９が形成されているので、その抜け止め部２１、２９が挟圧部２０、２６を挟圧した部材間を通過することができず、張り出し部１８、２８に力がかかってもパッキン７、１１が移動することがなく、抜けたりずれたりするのを防止することができる。
【００２５】
さらに第四の発明においては、パッキン１１の一部が底部材１２に対して十分に長い距離に亙って接触しているので、その間に大きな摩擦力が働き、その摩擦力で支えられてパッキン１１が移動することがなく、抜けやずれが防止される。
【図面の簡単な説明】
【００２６】
【図１】圧力炊飯ジャーの中央縦断面図
【図２】圧力炊飯ジャーにおける放熱板へのパッキンの取り付け部の一部拡大中央縦断面図
【図３】第一乃至第三の発明を放熱板へのパッキンの取り付け部に適用した状態の一部拡大中央縦断面図
【図４】第四及び第三の発明をチャンバーへのパッキンの取り付け部に適用した状態の一部拡大中央縦断面図
【符号の説明】
【００２７】
１  圧力炊飯ジャー
２  外装体
３  内鍋
４  加熱手段
５  蓋
６  放熱板
７、１１  パッキン
９  チャンバー
１０  キャップ
１２  底部材
１３  上部材
１４  リング体
１８、２８  張り出し部
２０、２６  挟圧部
２１、２９  抜け止め部
２３  突出部
２４  突出部
２５  凹部
【図１】
2005058385.tif 000003
【図２】
2005058385.tif 000004
【図３】
2005058385.tif 000005
【図４】
2005058385.tif 000006